(57)【要約】      （修正有）【課題】肩凝りを緩和するもので、それぞれ使用する人の好みの場所に正確にマグネットを配置することができるベスト状のものとする。【解決手段】肩から背中に至る部分に密着するシート状の本体部分１１と、この本体部分１１を人体に固定するバンド１４とを備え、本体部分１１にはマグネット２１を１個ずつ収容する袋４０が、連続的に縦横に配列されている。本体部分１１を構成する布には、両肩を結ぶ線にほぼ平行な一定の間隔の複数の折り目が設けられ、折り目によって形成されたひだの部分が、折り目に対してほぼ垂直な平行な複数の縫糸によって仕切られている。【選択図】図７
2011168937.tif 000002
【特許請求の範囲】
【請求項１】
肩から背中に至る部分に密着するシート状の本体部分と、
この本体部分を人体に固定するバンドとを備え、
前記本体部分には、マグネットを１個ずつ収容する袋が、連続的に縦横に配列されていることを特徴とするマグネット取付けベスト。
【請求項２】
請求項１に記載のマグネット取付けベストにおいて、
マグネットを１個ずつ収容する袋が、連続的に縦横に互いに密接して配列されていることを特徴とするマグネット取付けベスト。
【請求項３】
請求項１または２に記載のマグネット取付けベストにおいて、
前記マグネットは円盤状のもので、前記袋の入り口の幅は、前記マグネットの直径の２倍以下であることを特徴とするマグネット取付けベスト。
【請求項４】
請求項１乃至３のいずれかに記載のマグネット取付けベストにおいて、
前記マグネットは円盤状のもので、前記袋の入り口の幅は前記マグネットの直径の１．５倍以下で、深さは前記マグネットの直径の２倍以上５倍以下であることを特徴とするマグネット取付けベスト。
【請求項５】
請求項１乃至４のいずれかに記載のマグネット取付けベストにおいて、
各袋の入り口が、隣接する袋の底に近接して配置されていることを特徴とするマグネット取付けベスト。
【請求項６】
請求項１乃至５のいずれかに記載のマグネット取付けベストにおいて、
、装着したときに肩から背中に至る部分に密着するような柔軟な布により構成され、前記布には、両肩を結ぶ線にほぼ平行な一定の間隔の複数の折り目が設けられ、前記折り目によって形成されたひだの部分が、前記折り目に対してほぼ垂直な平行な複数の縫糸によって仕切られて、首に当たる部分に方向を向けた入口を備えた複数の袋が形成されていることを特徴とするマグネット取付けベスト。
【請求項７】
請求項１乃至６のいずれかに記載のマグネット取付けベストにおいて、
複数の縫糸の間隔が２種類以上設定されて、入り口の幅が異なる袋が混在することを特徴とするマグネット取付けベスト。
【発明の詳細な説明】
【技術分野】
【０００１】
本発明は、肩凝りを緩和する等のために使用するマグネット取付けベストに関する。
【背景技術】
【０００２】
肩こりを緩和するために、マグネットを粘着シールを用いて肩等に貼り付ける構造の物が知られている。また、マグネットを衣服に固定する形式のものも知られている（特許文献１）（特許文献２）。
【先行技術文献】
【特許文献】
【０００３】
【特許文献１】特開２００５−１０５５１２号公報
【特許文献１】特開２００５−２５６２６３号公報
【発明の概要】
【発明が解決しようとする課題】
【０００４】
既知の従来の技術には、次のような解決すべき課題があった。
肌の過敏な人には、粘着シールを使用するものは利用できない。また、何カ所にも貼り付けると、着脱に骨が折れる。背中の真ん中などには、自分で貼ることが難しい。マグネットを数カ所に縫い込んだり固定するベストのようなものもあるが、人それぞれ、マグネットを取り付ける最適位置は異なる。既知の構造では個人差に対応できない。
上記の課題を解決するために、本発明は、それぞれ使用する人の好みの場所に自由に正確にマグネットを配置することができるマグネット取付けベストを提供することを目的とする。
【課題を解決するための手段】
【０００５】
以下の構成はそれぞれ上記の課題を解決するための手段である。
〈構成１〉
肩から背中に至る部分に密着するシート状の本体部分と、この本体部分を人体に固定するバンドとを備え、前記本体部分には、マグネットを１個ずつ収容する袋が、連続的に縦横に配列されていることを特徴とするマグネット取付けベスト。
【０００６】
〈構成２〉
構成１に記載のマグネット取付けベストにおいて、マグネットを１個ずつ収容する袋が、連続的に縦横に互いに密接して配列されていることを特徴とするマグネット取付けベスト。
【０００７】
〈構成３〉
構成１または２に記載のマグネット取付けベストにおいて、前記マグネットは円盤状のもので、前記袋の入り口の幅は、前記マグネットの直径の２倍以下であることを特徴とするマグネット取付けベスト。
【０００８】
〈構成４〉
構成１乃至３のいずれかに記載のマグネット取付けベストにおいて、前記マグネットは円盤状のもので、前記袋の入り口の幅は前記マグネットの直径の１．５倍以下で、深さは前記マグネットの直径の２倍以上５倍以下であることを特徴とするマグネット取付けベスト。
【０００９】
〈構成５〉
構成１乃至４のいずれかに記載のマグネット取付けベストにおいて、各袋の入り口が、隣接する袋の底に近接して配置されていることを特徴とするマグネット取付けベスト。
【００１０】
〈構成６〉
構成１乃至５のいずれかに記載のマグネット取付けベストにおいて、前記本体部分は、装着したときに人体の肩から背中に至る部分に密着するような柔軟な布により構成され、前記布には、両肩を結ぶ線にほぼ平行な一定の間隔の複数の折り目が設けられ、前記折り目によって形成されたひだの部分が、前記折り目に対してほぼ垂直な平行な複数の縫糸によって仕切られて、首に当たる部分に方向を向けた入口を備えた複数の袋が形成されていることを特徴とするマグネット取付けベスト。
【００１１】
〈構成７〉
構成１乃至６のいずれかに記載のマグネット取付けベストにおいて、複数の縫糸の間隔が２種類以上設定されて、入り口の幅が異なる袋が混在することを特徴とするマグネット取付けベスト。
【発明の効果】
【００１２】
〈構成１の効果〉
マグネットを１個ずつ収容する袋が、連続的に縦横に配列され、肩や背中に密着しているので、いくつものマグネットを肩や背中の好みの場所に近づけて配置することができる。
〈構成２の効果〉
袋が、連続的に縦横に互いに密接して配列されていれば、上下左右いずれの方向にも、マグネットを収容する位置を変えて、最も効果的な場所にマグネットを配置できる。
〈構成３の効果〉
円盤状のマグネットは袋に収容し易く、肌に対する当たりもよい。また、袋の入り口の幅をマグネットの直径の３倍以下にすると、マグネットが袋の内部に固定され、他のマグネットと引き合って移動することがなく、かつ、脱落し難い。
〈構成４の効果〉
袋の幅をさらに小さくし、袋の深さをある程度深くすると、マグネットが脱落し難く移動もし難い。
〈構成５の効果〉
マグネットが袋の入り口から外部に滑り出し難く、脱落が防止できる。
〈構成６の効果〉
一枚の布に平行な複数の折り目を付けて、折り目によって形成されたひだを平行な複数の縫糸によって仕切ることにより、連続的に縦横に配列された袋を一挙に設けることができる。また、折り目によって形成されたひだは、弾力によりマグネットの動きを抑えて、マグネットの脱落を防止できる。
〈構成７の効果〉
複数種類の幅の袋が設けられ、例えば、直径の大きなマグネットと直径の小さなマグネットとを選択的に収納できる。
【図面の簡単な説明】
【００１３】
【図１】マグネット取付けベストの材料を説明する説明図である。
【図２】布にひだを作る工程の説明図である。
【図３】磁石を収容する袋を作る工程の説明図である。
【図４】頭を入れる孔を作る工程の説明図である。
【図５】ゴムバンドを取り付ける工程の説明図である。
【図６】マグネット取付けベストの装着方法を示す説明図である。
【図７】マグネット取付けベストの背面図と使用例の説明図である。
【図８】肩用のマグネット取付けベストの装着方法を示す説明図である。
【図９】肩用のマグネット取付けベストの背面図と使用例の説明図である。
【図１０】首用のマグネット取付けベストの正面図と背面図である。
【発明を実施するための形態】
【００１４】
以下、本発明の実施の形態を実施例毎に詳細に説明する。
本発明のマグネット取付けベストは、肩から背中の部分に粒状のマグネットを密着させる構造のものである。本体部分は肩から背中にかけて人体に密着する構造が好ましい。本体部分には柔軟な布等を使用するとよい。バンドは、本体部分を人体に固定するためのものである。従って、バンドは紐状のものやベルト状のものが好ましい。マグネットをいずれかの袋に投入する。袋は、マグネットを１個ずつ収容することができるようにする。袋は、マグネットを収容し、かつ、マグネットが脱落し難い構造が好ましい。従って、マグネットとの間の摩擦が大きく、柔軟性のある布が適する。
【００１５】
袋は、マグネットが内部で移動し難い寸法が好ましい。さもないと、左右に隣接する袋に収容したマグネットが磁力で引き付け合って、配列が偏ってしまう。また上下に隣接する袋に収容したマグネットが磁力で引き付け合って、下側の袋に収容されたマグネットが袋の口から飛び出しそうになる。従って、例えば、直径５ｍｍの円板状のマグネットの場合には、２ｃｍほどの深さがあり入り口の幅が７ｍｍ程度の袋が最も好ましい。
【００１６】
縦横に配列されたマグネットを収容する袋を選ぶことによって、装着するマグネットの数や位置を自由に選択できる。素材の布には、両方の肩を結ぶ線にほぼ平行な一定の間隔の複数の折り目を設けるとよい。折り返しによって形成したひだの部分に、首に当たる部分の方向に向いた入口を備えた複数の袋を形成する。折り目に対してほぼ垂直な平行な複数の縫糸によって、ひだに仕切りを設け、縦横に配列された複数の袋を形成する。互いに隣接する袋の入り口と袋の底に当たる部分が、密接して配列されるように複数の袋を配置するとよい。全ての袋の入口が首に当たる部分を向いているとマグネットの粒子が脱落しない。さらに、折り返して形成したひだで袋壁を作ると、２枚の布による膨んだ弾力のある壁を構成できる。従って、内部に収容したマグネットの粒子を押さえつけるため、マグネットの粒子が振動で飛び出すようなことがない。以下、本発明の実施例をさらに詳細に説明する。
【実施例１】
【００１７】
図１は、マグネット取付けベストの材料を説明する説明図である。（ａ）は本体部分の材料に使用する布の斜視図、（ｂ）はバンドの平面図、（ｃ）（ｄ）（ｅ）は部品の平面図、（ｆ）（ｇ）はマグネットの平面図である。
マグネット取付けベストには、この図面に示すような材料を使用する。
（ａ）に示すように、布１２には、例えば、磁気の通りやすい薄手の３０ｃｍ幅のさらしを使用する。
装着したときに肩から背中に至る部分に密着するような柔軟な布により構成することが好ましい。
（ｂ）に示すように、バンドには、３ｃｍ幅のゴムバンド１４を使う。ゴムバンド１４は、本体部分の背中部分に縫いつける。ゴムバンド１４は、胴回りに本体部分を固定するために使用する。
（ｃ）に示すように、バンドを固定するために、２．５ｃｍ幅の面ファスナ（鍵）１６を使用する。ゴムバンド１４の両端に縫いつけて使用する。
（ｄ）に示すように、２．５ｃｍ幅の面ファスナ（ループ）１８を使用する。これは腹側に縫いつけて使用する。（ｃ）の面ファスナー（鍵）と組み合わせて使用する。
（ｅ）に示すように、１．１ｃｍ幅のコットンのバイアステープ２０を使用する。これは下着に使うような柔らかい素材の物である。布１２の両端と頭を入れる孔４４の縁取りにこのバイアステープ２０を使用する。
（ｆ）に示すように、直径５ｍｍの小さなマグネット２１を使用する。
（ｇ）に示すように、直径７ｍｍの大きなマグネット２２も使用する。マグネットは一種類でも良いが、２種類使い分けると、好みに応じた効き目が期待できる。
以下、マグネット取付けベストを作る工程を順に説明する。
【００１８】
図２は、布にひだを作る工程の説明図である。
（ａ）布１２に２ｃｍ幅に直線２４を引く。図８で説明する肩用とこの図で説明する肩背中用のものでは、引く線の数が異なる。肩背中用は肩用に比べて丈が長いため引く線の数が肩用より多い。
（ｂ）黒丸印の付いている線２６を山折にして折り目を付ける。その両端の線２８同士を縫い合わせる。
（ｃ）これでひだ３０が出来上がる。
なお、上記の折り目は、両肩を結ぶ線にほぼ平行な一定の間隔のものが好ましい。
【００１９】
（ｄ）同じ事を何回も繰り返してひだ３０を沢山作る。図８で説明する肩用とこの図で説明する肩背中用では、ひだ３０を作る数が異なる。肩背中用は肩用に比べて丈が長いため作るひだの数が肩用より多く作る。出来たひだ３０を矢印３４の方向に全て倒す。
【００２０】
図３は、マグネット２２を収容する袋（ポケット）４０を作る工程の説明図である。
（ａ）ひだ３０を全て倒してから、例えばアイロンで形状を安定させる。
（ｂ）ひだ３０を倒したまま縫糸３６によって、垂直方向に１ｃｍ幅に全て縫い目を付ける。
こうして、折り目に対してほぼ垂直な平行な複数の縫い目によって仕切りを付ける。
（ｂ）は直径が６〜７ｍｍのマグネット２２専用の物である。１ｃｍで全て縫うと、全部がマグネット２２を収容する寸法の袋（ポケット）４０になる。
（ｃ）は直径が５mmの小さなマグネット２１と直径が７ｍｍの大きなマグネット２２の兼用タイプなので、どちらでも使える様に、７ｍｍ幅と１ｃｍ幅の交互に縫糸によって仕切りを付ける。これで、どちらにも対応が出来る物となる。
【００２１】
（ｂ）は大きなマグネット２２専用の物で、（ｃ）は小さいマグネット２１と大きなマグネット２２のいずれも収容できる兼用の物になる。
マグネットは円盤状のものなので、肌に対する当たりもよい。袋４０の横幅（袋の入り口の幅）は、マグネットの直径の２倍以下であることが好ましい。袋４０の深さはマグネットの直径に対して２倍以上４倍くらい、十分に深いほうがよい。袋４０の中でマグネットが移動しないようにするには、袋４０の横幅は、マグネットの直径の１．５倍以下であると一層よい。袋４０の横幅は、縫糸の間隔により調整する。袋４０の深さはひだの幅により調整する。
【００２２】
図４は、頭を入れる孔を作る工程の説明図である。この図はマグネット取付けベストの平面図に相当する。
（ａ）布１２に頭を入れる孔４４を切り取る。
（ｂ）バイアステープ２０で頭を入れる孔４４を縁取る。
（ｃ）両端もバイアステープ２０で縁取る。こうして、首に当たる部分を整える。
なお、布の背中側には多数の袋が縦横に配列されている。頭を入れる孔は長円形、楕円形のいずれでもよい。布の胸側は何も無くてよい。従って、前開き構造でもよいから、頭を入れる孔はＵ字形のものでもよい。
【００２３】
図５は、ゴムバンド１４を取り付ける工程の説明図である。
（ａ）ゴムバンド１４は体に固定するために使用する。図１（ｂ）に示したものを、背中側に縫い付ける。バンドは、ゴムや紐を使用することができる。
（ｂ）胴回りに固定するゴムバンド１４の両端に３ｃｍに切った面ファスナー（鍵）１６を縫い付ける。
（ｃ）面ファスナー（ループ）１８を腹側の裾から２ｃｍの所に固定する。サイズ調節が出来るようにするため端から端まで縫い付ける。腹部分には、柔らかい面ファスナー（ループ）１８の方を使う。面ファスナー（鍵）１６を使うと、着ている服の裏地を面ファスナー鍵のザラザラしている所で傷めてしまう可能性があるからである。
面ファスナー（ループ）１８を裾から２ｃｍ上方にずらした。その理由は、ゴムバンド１４の両端に縫いつけた面ファスナー（鍵）１６を腹部に縫いつけた面ファスナー（ループ）１８の所に固定するとき、面ファスナー（鍵）１６のザラザラしている所が腹に当たらない様にする為である。２ｃｍ余分に布を下側に出しておくとよい。
【００２４】
図６は、マグネット取付けベスト１０の装着方法を示す説明図である。
（ａ）背中側に付けたゴムバンド１４を、矢印５８の様に腹側に付けた面ファスナー（ループ）１８に取り付けて固定する。腹に付けた面ファスナー（ループ）１８が端から端まであるので腹の太さの調節が出来る。
（ｂ）肩背中用の前から見た装着例である。
【００２５】
図７は、マグネット取付けベスト１０の背面図と使用例の説明図である。
（ａ）肩背中用の後ろから見た装着例である。この図はマグネットを入れる前の状態である。
（ｂ）肩背中用の使用例である。図の黒丸の場所に、マグネットを収容する。使用者の好みに合わせて数も位置も自由に決めることができる。即ち、マグネットは好きなところに何カ所も収容する事ができる。
【実施例２】
【００２６】
図８は、肩用のマグネット取付けベスト１０の装着方法を示す説明図である。図９は、肩用のマグネット取付けベストの背面図と使用例の説明図である。
背中まで広い面積のものが不要な場合には、このように肩の回りだけに使用できる構造を採用することができる。図８（ａ）に示すように、全体として小型化できる。即ち、肩専用なので少し丈が短くなっている。図８（ｂ）は肩用の前から見た所である。図９（ａ）は、肩用の後ろから見た所である。図９（ｂ）は肩用の使用例である。その他は、これまでに説明したものとかわらない。
【実施例３】
【００２７】
図１０は、首用のマグネット取付けベストの正面図と背面図である。
（ａ）これは首専用の物である。家の中にいるときなどに、首に巻いて使用するものになる。これまで説明したのと同じ袋（ポケット）が付いている布を使用し、首の形に切り取る。
周りをバイアステープ２０で縁取りをする。面ファスナー（鍵）１６を縫い付ける。
（ｂ）裏側である。首の太さの調節が出来るように、面ファスナー（ループ）１８を横に１０ｃｍの長さで縫い付ける。
これで、首に巻き付けて固定して使用できる。
【００２８】
以上説明した本発明のマグネット取付けベストは、下記のように機能する。
（１）貼る粘着シールタイプの物は痒くなって長時間使用出来なくなってしまう事がある。このベストは長時間使用していても痒くならないので長時間使用できる。
（２）マグネットを取り出して洗濯することも出来る。
（３）自分の希望する場所に自由にマグネットを配置することができる。
（４）凝っている場所に一度油性ペンなどで印を付けると、一人で居ても悩むことなく同じ場所にマグネットを入れることが出来る。凝った位置が変わった場合は違う色の油性ペンで印を付けても良い。
【符号の説明】
【００２９】
１０  マグネット取付けベスト
１１  本体部分
１２  布
１４  ゴムバンド
１６  面ファスナ（鍵）
１８  面ファスナ（ループ）
２０  バイアステープ
２１  ５ｍｍの小さいマグネット
２２  ７ｍｍの大きなマグネット
２４  直線
２６  折り目
２８  縫い目（底）
３０  ひだ
３４  矢印（ひだ用）
３６  縫い目（境界）
４０  袋（ポケット）
４４  頭を入れる孔
５８  矢印（ゴムバンド用）
７０  肩用のマグネット取付けベスト
８０  首用のマグネット取付けベスト
【図１】
2011168937.tif 000003
【図２】
2011168937.tif 000004
【図３】
2011168937.tif 000005
【図４】
2011168937.tif 000006
【図５】
2011168937.tif 000007
【図６】
2011168937.tif 000008
【図７】
2011168937.tif 000009
【図８】
2011168937.tif 000010
【図９】
2011168937.tif 000011
【図１０】
2011168937.tif 000012